【手続補正書】
【提出日】平成19年9月19日(2007.9.19)
【手続補正１】
【補正対象書類名】特許請求の範囲
【補正対象項目名】全文
【補正方法】変更
【補正の内容】
【特許請求の範囲】
【請求項１】
血液を浄化する浄化器と、該浄化器に対して、浄化されるべき血液を供給するための血液供給流路と、該血液供給流路上に設けられた、血液を該浄化器に送出するためのポンプ手段と、該浄化器に接続され、該浄化器で浄化された血液を体内に返送するための血液返送流路とを備えた血液浄化装置において、
前記ポンプ手段よりも血液流通方向上流側の血液供給流路部位に位置する上流側接続部と前記ポンプ手段よりも血液流通方向下流側の血液供給流路部位に位置する下流側接続部とを結ぶ、該ポンプ手段に対してバイパスとなるバイパス流路と、
かかるバイパス流路上に設けられて、該バイパス流路を通じての液流通を許容乃至は阻止するバイパス流路制御手段と、
電解質液が収容される収容体を備え、該収容体内に収容された電解質液が、前記ポンプ手段よりも血液流通方向上流側の前記血液供給流路に導入されるように構成した電解質液供給手段と、
該電解質液供給手段から前記血液供給流路への前記電解質液の流入を許容乃至は阻止する電解質液導入制御手段と、
前記ポンプ手段よりも血液流通方向上流側の血液供給流路上に設けられ、前記電解質液供給手段から電解質液が導入される部位よりも血液流通方向上流側において液流通を許容乃至は阻止する第一の流通制御手段と、
前記ポンプ手段よりも血液流通方向上流側の血液供給流路上に設けられ、前記電解質液供給手段から電解質液が導入される部位よりも血液流通方向下流側における液流通を許容乃至は阻止する第二の流通制御手段と、
を設け、前記電解質液供給手段より前記血液供給流路に導入される電解質液によって、該血液供給流路、前記浄化器及び前記血液返送流路内の血液が回収されるようにしたことを特徴とする血液浄化装置。
【請求項２】
前記電解質供給手段が、前記収容体と共に、かかる収容体を前記上流側接続部よりも血液流通方向上流側の前記血液供給流路部位に連結する電解質液供給流路を備え、該収容体内に収容された電解質液が、該電解質液供給流路を通じて、該血液供給流路に導入せしめられるように構成されている一方、
前記第一の流通制御手段が、該電解質液供給流路が接続された部位よりも血液流通方向上流側において液流通を許容乃至は阻止するものであり、更に前記第二の流通制御手段が、該電解質液供給流路が接続された部位と前記バイパス流路の前記上流側接続部との間における液流通を許容乃至は阻止するものである請求項１に記載の血液浄化装置。
【請求項３】
前記電解質液供給手段における収容体が、重力作用方向において、前記血液供給流路、前記浄化器及び前記血液返送流路よりも高い位置に配置されて、かかる収容体内の電解質液が、重力の作用下、それら血液供給流路、浄化器、血液返送流路に供給せしめられるように構成することによって、前記血液の回収が行われる請求項１又は請求項２に記載の血液浄化装置。
【請求項４】
前記収容体が、容積が可変で、柔軟性を有する袋体にて構成され、かかる袋体内に収容された前記電解質液が流出するに従って、該袋体の容積が減少せしめられるようになっている請求項１乃至請求項３の何れか１項に記載の血液浄化装置。
【請求項５】
前記収容体に対して、その内部を液密に仕切る仕切手段が、仕切機能解除可能に設けられ、かかる仕切手段によって仕切られた該収容体の前記電解質液供給流路連通側の部位に存在する電解質液だけが、該電解質液供給流路を通じて前記血液供給流路に導入されるようにしたことを特徴とする請求項４に記載の血液浄化装置。
【請求項６】
前記収容体を外方から圧迫して、該収容体内に収容された電解質液の内圧を上昇させる圧迫手段が、更に設けられている請求項４又は請求項５に記載の血液浄化装置。
【手続補正２】
【補正対象書類名】明細書
【補正対象項目名】００１４
【補正方法】変更
【補正の内容】
【００１４】
そして、本発明は、上述の如き課題を解決するために為されたものであって、その第一の態様とするところは、
血液を浄化する浄化器と、該浄化器に対して、浄化されるべき血液を供給するための血液供給流路と、該血液供給流路上に設けられた、血液を該浄化器に送出するためのポンプ手段と、該浄化器に接続され、該浄化器で浄化された血液を体内に返送するための血液返送流路とを備えた血液浄化装置において、（ａ）前記ポンプ手段よりも血液流通方向上流側の血液供給流路部位に位置する上流側接続部と前記ポンプ手段よりも血液流通方向下流側の血液供給流路部位に位置する下流側接続部とを結ぶ、該ポンプ手段に対してバイパスとなるバイパス流路と、（ｂ）かかるバイパス流路上に設けられて、該バイパス流路を通じての液流通を許容乃至は阻止するバイパス流路制御手段と、（ｃ）電解質液が収容される収容体を備え、該収容体内に収容された電解質液が、前記ポンプ手段よりも血液流通方向上流側の前記血液供給流路に導入されるように構成した電解質液供給手段と、（ｄ）該電解質液供給手段から前記血液供給流路への前記電解質液の流入を許容乃至は阻止する電解質液導入制御手段と、（ｅ）前記ポンプ手段よりも血液流通方向上流側の血液供給流路上に設けられ、前記電解質液供給手段から電解質液が導入される部位よりも血液流通方向上流側において液流通を許容乃至は阻止する第一の流通制御手段と、（ｆ）前記ポンプ手段よりも血液流通方向上流側の血液供給流路上に設けられ、前記電解質液供給手段から電解質液が導入される部位よりも血液流通方向下流側における液流通を許容乃至は阻止する第二の流通制御手段とを設け、前記電解質液供給手段より前記血液供給流路に導入される電解質液によって、該血液供給流路、前記浄化器及び前記血液返送流路内の血液が回収されるようにしたことを特徴とする血液浄化装置にある。
また、このような本発明に従う血液浄化装置にあっては、有利には、前記電解質供給手段が、前記収容体と共に、かかる収容体を前記上流側接続部よりも血液流通方向上流側の前記血液供給流路部位に連結する電解質液供給流路を備え、該収容体内に収容された電解質液が、該電解質液供給流路を通じて、該血液供給流路に導入せしめられるように構成されている一方、前記第一の流通制御手段が、該電解質液供給流路が接続された部位よりも血液流通方向上流側において液流通を許容乃至は阻止するものであり、更に前記第二の流通制御手段が、該電解質液供給流路が接続された部位と前記バイパス流路の前記上流側接続部との間における液流通を許容乃至は阻止するものである形態が、採用されることとなる。
【手続補正３】
【補正対象書類名】明細書
【補正対象項目名】００１５
【補正方法】変更
【補正の内容】
【００１５】
このような本発明に従う血液浄化装置にあっては、それ本来の血液浄化操作の終了の後において、第一の流通制御手段にて、血液供給流路における電解質液供給手段が接続された部位（分岐部）よりも上流側の液流通を遮断すると共に、電解質液導入制御手段による電解質液供給の遮断状態が解除されることにより、電解質液供給手段が、血液供給流路における電解質液供給手段が接続された部位よりも下流側と連通せしめられると、収容体内に収容されている電解質液が、血液供給流路における電解質液供給手段が接続された部位よりも下流側に導入せしめられる。これにより、患者の血液の浄化操作中、血液供給流路における電解質液供給手段が接続された部位に、血栓が形成されてしまった場合には、その血栓が、電解質液により、血液供給流路における電解質液供給手段が接続された接続部位よりも下流側に押し流されることとなる。
【手続補正４】
【補正対象書類名】明細書
【補正対象項目名】００１６
【補正方法】変更
【補正の内容】
【００１６】
このようにして、ある程度の量、例えば、５ｍｌ程度の電解質液が血液供給流路における電解質液供給手段が接続された接続部位よりも下流側に導入せしめられたことを確認した後、第二の流通制御手段にて、電解質液供給手段が接続された血液供給流路の部位とポンプ手段との間の液流通を阻止すると共に、第一の流通制御手段による、電解質液供給手段が接続された部位よりも上流側の血液供給流路の遮断状態を解除すると、収容体内に収容されている電解質液が、血液供給流路における電解質液供給手段が接続された部位よりも上流側に導入せしめられるようになる。これにより、電解質液供給手段との接続部位（分岐部）よりも上流側に位置する血液供給流路内に残留する血液が、この血液供給流路内に流入せしめられる電解質液によって、血液浄化操作の実施時における血液の流通方向とは逆に、患者のシャント血管に向かって押し出され、以て、患者の体内に戻されることとなる。
【手続補正５】
【補正対象書類名】明細書
【補正対象項目名】００１７
【補正方法】変更
【補正の内容】
【００１７】
次に、第一の流通制御手段にて、血液供給流路の、電解質液供給手段が接続された部位よりも上流側の液流通を遮断すると共に、第二の流通制御手段による血液供給流路の遮断状態を解除すると、電解質液供給手段が接続された部位から、その接続部位よりも血液流通方向下流側への液流通が可能となって、電解質液供給手段の接続部位から下流側に位置する血液供給流路の内部、バイパス流路の内部、浄化器の内部、及び血液返送流路の内部にそれぞれ残留する血液が、血液供給流路内に導入される電解質液によって、血液浄化操作の実施時における血液の流通方向に、患者のシャント血管に向かって押し出され、以て、電解質液供給手段が接続された部位よりも下流側の血液供給流路部分内の残留血液が、患者の体内に戻され得るのである。なお、前述せるように、所定量（例えば、５ｍｌ程度）の電解質液を流すことによって、血栓が血液供給流路の下流側に押し流された場合には、例えば、内部に濾過網等を備えた動脈チャンバを血液供給流路の下流側の部位に設けることによって、かかる動脈チャンバにおいて血栓を捕捉することが可能となる。ここで、血液供給流路や血液返送流路における、血液流通方向上流側及び下流側とは、上述の如き血液浄化操作の実施時における血液の流通方向の上流側及び下流側のことを意味するものである。